(57)【要約】【課題】公知の方法及び装置の欠点を有さず、化粧組成物を塗布する間に冷却効果を持続できる、広い範囲の化粧組成物に適した化粧方法及び器具を提供すること。【解決手段】本発明により、−  容器（２）又は基材（５２、６２）に保持された化粧組成物又は皮膚用組成物（Ｐ）、−  容器又は基材から分離することができ且つ皮膚の一領域を手入れするための塗布表面（９）を有する塗布具であって、皮膚に熱的な損傷を与えない程度の低温に冷却して、塗布表面（９）を皮膚と１５秒間接触させ続けた場合、この塗布表面（９）の適用後の温度が１５℃以下に維持されるような温度特性を有する少なくとも１つの材料を含む塗布具を備えた器具を提供する。【選択図】図２
2007167639.tif 000002
【特許請求の範囲】
【請求項１】
−  容器（２）又は基材（５２、６２）に保持された化粧組成物又は皮膚用組成物（Ｐ）と、
−  化粧組成物による手入れの際に使用される塗布具（３）であって、１，０００Ｊｍ−２Ｋ−１ｓ−１／２以上、好ましくは５，０００Ｊｍ−２Ｋ−１ｓ−１／２以上、更に好ましくは１０，０００Ｊｍ−２Ｋ−１ｓ−１／２以上、更に好ましくは２０，０００Ｊｍ−２Ｋ−１ｓ−１／２以上の熱慣性を有する材料及び／又は１Ｗ−１Ｋ−１以上、好ましくは４０Ｗ−１Ｋ−１以上、更に好ましくは１８０Ｗ−１Ｋ−１以上の熱伝導率を有する材料によって少なくとも部分的に画定された塗布表面（９）を有する塗布具と
を備え、塗布具及び容器又は基材が共通の収容器具内に収容されている、器具。
【請求項２】
材料が、金属、石材又はガラスである、請求項１に記載の器具。
【請求項３】
塗布具が、１Ｗｍ−１Ｋ−１以下、好ましくは０．５Ｗｍ−１Ｋ−１以下、更に好ましくは０．１Ｗｍ−１Ｋ−１以下の熱伝導率を有する材料によって少なくとも部分的に画定された把持表面（１０）を有する、請求項１又は２に記載の器具。
【請求項４】
塗布具が空洞（１２）を有し、該空洞（１２）が特に化合物（Ｌ）を収容している、請求項１ないし３のいずれか１項に記載の器具。
【請求項５】
周囲温度から−１８℃を下回らない温度に冷却した時に、化合物が状態を変化させることができる、請求項４に記載の器具。
【請求項６】
空洞の一部が１Ｗｍ−１Ｋ−１以上の熱伝導率を有する材料によって画定されており、別の一部が１Ｗｍ−１Ｋ−１以下の熱伝導率を有する材料によって画定されている、請求項４又は５に記載の器具。
【請求項７】
空洞の一部が金属材料によって画定されており、別の一部がプラスチック材料によって部分的に画定されている、請求項６に記載の器具。
【請求項８】
空洞の大部分が、１Ｗｍ−１Ｋ−１以下の熱伝導率を有する材料によって部分的に画定されている、請求項４に記載の器具。
【請求項９】
塗布具が、空洞（１２）と塗布表面（９）との間に、５０ｍｍ以下、特に０．１〜５０ｍｍ、好ましくは１ｍｍ以下、更に好ましくは０．５ｍｍ以下の小さな厚み（ｅｍｉｎ）の壁を有する、請求項４ないし８のいずれか１項に記載の器具。
【請求項１０】
塗布表面（９）が、弾性膜、発泡体、フロック材料、プラスチックフィルム、スポンジ、フェルト、織布又は不織布材料によって少なくとも部分的に覆われている、請求項１ないし９のいずれか１項に記載の器具。
【請求項１１】
−  １Ｗｍ−１Ｋ−１以上、好ましくは４０Ｗｍ−１Ｋ−１以上、更に好ましくは１８０Ｗｍ−１Ｋ−１以上の熱伝導率を有する材料によって少なくとも部分的に画定された塗布表面（９）と、
−  １Ｗｍ−１Ｋ−１以下、好ましくは０．５Ｗｍ−１Ｋ−１以下、更に好ましくは０．１Ｗｍ−１Ｋ−１以下の熱伝導率を有する材料によって少なくとも部分的に画定された把持表面（１０）と、
−  特に塗布具を−１８℃の温度に冷却した時に状態を変化させることができる、少なくとも０．２ｍｌ、好ましくは少なくとも５ｍｌの液体を収容する内部の空洞（１２）と
を備えた塗布具。
【請求項１２】
−  １Ｗｍ−１Ｋ−１以上、好ましくは４０Ｗｍ−１Ｋ−１以上、更に好ましくは１８０Ｗｍ−１Ｋ−１以上の熱伝導率を有する材料によって少なくとも部分的に画定された塗布表面（９）と、
−  １Ｗｍ−１Ｋ−１以下、好ましくは０．５Ｗｍ−１Ｋ−１以下、更に好ましくは０．１Ｗｍ−１Ｋ−１以下の熱伝導率を有する材料によって少なくとも部分的に画定された把持表面（１０）と、
−  液体を収容する内部の空洞であって、一部が１Ｗｍ−１Ｋ−１以上の熱伝導率を有する材料によって画定されており、別の一部が１Ｗｍ−１Ｋ−１以下の熱伝導率を有する材料によって画定されている空洞（１２）と
を備えた塗布具。
【請求項１３】
−  １Ｗｍ−１Ｋ−１以上、好ましくは４０Ｗｍ−１Ｋ−１以上、更に好ましくは１８０Ｗｍ−１Ｋ−１以上の熱伝導率を有する材料によって少なくとも部分的に画定された塗布表面（９）と、
−  １Ｗｍ−１Ｋ−１以下、好ましくは０．５Ｗｍ−１Ｋ−１以下、更に好ましくは０．１Ｗｍ−１Ｋ−１以下の熱伝導率を有する材料によって少なくとも部分的に画定された把持表面（１０）と、
−  液体を収容し、厚みが一定でない壁部によって画定されている、内部の空洞（１２）と
を備えた塗布具。
【請求項１４】
空洞（１２）と塗布表面（９）との間に、５０ｍｍ以下、特に０．１〜５０ｍｍ、好ましくは１ｍｍ以下、更に好ましくは０．５ｍｍ以下の小さな厚み（ｅｍｉｎ）の壁を有する、請求項１１ないし１３のいずれか１項に記載の塗布具。
【請求項１５】
空洞の一部が金属材料によって画定され、別の一部がプラスチック材料によって画定されている、請求項１１ないし１４のいずれか１項に記載の器具。
【請求項１６】
空洞の大部分が、１Ｗｍ−１Ｋ−１以下の熱伝導率を有する材料によって部分的に画定されている、請求項１２に記載の塗布具。
【請求項１７】
保存位置で所定の表面に置くことができ、それにより塗布表面を画定している壁部に液体が接触するように構成されている、請求項１１ないし１６のいずれか１項に記載の塗布具。
【請求項１８】
塗布表面（９）が、弾性膜、発泡体、フロック材料、プラスチックフィルム、スポンジ、フェルト、織布又は不織布材料によって少なくとも部分的に覆われている、請求項１１ないし１６のいずれか１項に記載の塗布具。
【請求項１９】
人体の少なくとも１つの領域を手入れする化粧のための非治療的方法であって、
ａ）請求項１ないし１９のいずれか１項に記載の塗布具（３）を、１５℃以下の温度に冷却するステップ、続いて
ｂ）ステップａ）で冷却された塗布具に、当該塗布具の温度よりも周囲温度に近く且つ当該塗布具の温度と少なくとも５℃の差がある温度の化粧組成物（Ｐ）を充填し、塗布具を使用して組成物を塗布するステップ、又は
ｃ）ステップａ）の前に又は後で、手入れする領域に、少なくとも１つの化粧組成物を塗布し、ステップａ）の後で、ステップａ）で冷却された塗布具（３）を手入れする領域に接触させるステップ
を含む方法。
【請求項２０】
冷蔵庫又は冷凍庫に入れることによって塗布具を冷却する、請求項１９に記載の方法。
【発明の詳細な説明】
【技術分野】
【０００１】
本発明は、冷却効果による化粧又は皮膚の手入れ、或いは髪等のケラチン質の手入れに関する。
【背景技術】
【０００２】
冷蔵庫に入れることにより、顔に対して冷却効果を簡単に与えることができるマスクがある。特に、そのようなマスクは、ＣＯＬＤＨＯＴ（登録商標）の商標名で３Ｍ社から販売されている。
特許文献１には、塗布前に冷却される吸収性ポリマーを含む瞼のためのマスクが開示されている。
【０００３】
特許文献２には、水を吸収して蒸発させることができるポリマー粒子が組み込まれた冷却装置が記載されている。このような装置は、化粧用組成物の塗布や皮膚のマッサージ用に設計されていない。
特許文献３には、一定の厚みを有する金属性の包装体に収容されている水のような材料を含む、冷却効果をもたらすための装置が記載されている。金属性の包装体の一部にスリーブ状の絶縁体が固定され、装置のグリップを構成している。
【０００４】
特許文献４には、−２０℃の温度を保つことができる混合物を収容したポリエチレン球を有する、冷却効果をもたらすための装置が記載されている。
特許文献５には、プラスチック製のグリップ部分を備えた、氷塊を形成する型が記載されている。
【０００５】
特許文献６には、熱を蓄えることのできる液体を充填できるローラが記載されている。
これらの装置は、塗布される化粧製品を収容する容器を備えていない。
【０００６】
互いに反応する２つの成分を混合することによって、クリームを約２℃の温度に冷却できる包装装置も提案されている。このような包装装置は比較的複雑で高価であり、しかも一度しか使用できないという制限がある。
また、マッサージ組成物及び塗布用ボールを収容している塗布装置を、使用前に冷蔵庫に入れることが知られている。この塗布用ボールは、マッサージ組成物を分配することなしに、皮膚のマッサージに使用することはできない。
【０００７】
特許文献５には、傷を手当てするために冷凍状態にある組成物を塗布するための塗布具が開示されている。この塗布具は、組成物の冷凍後に把持要素として機能し得る容器を備えている。
化粧製品を塗布前に冷蔵庫に入れることができるということは、特定の配合物に関して問題を生じさせる。
【０００８】
実際に、特定の化粧組成物は、例えば０℃以下の温度に冷却すると、凝固及び／又は劣化し易い。
更に、少量の組成物が局所的に使用される場合、組成物が皮膚と接触して温められるため、冷却効果は短時間しか持続しない。
【０００９】
その上、特定の分配装置は、特定のレオロジー特性を有する組成物によって作動し、温度の変化により組成物の粘度が変化すると適切に機能しなくなる場合がある。
したがって、公知の方法及び装置の欠点を回避して、化粧組成物又は皮膚用組成物の塗布の際に冷却効果を持続できるようにすることが必要である。
【特許文献１】国際公開第２００４／０７１３６２号パンフレット
【特許文献２】国際公開第０３／０５５４２５号パンフレット
【特許文献３】米国特許第４７４５９０９号明細書
【特許文献４】米国特許第５１２７３９５号明細書
【特許文献５】米国特許第４５３７１９４号明細書
【特許文献６】米国特許出願第２００３／０１００９３６号明細書
【発明の開示】
【発明が解決しようとする課題】
【００１０】
本発明の目的は、冷却効果を利用できる手入れ方法、特に化粧方法であって、広い範囲の化粧組成物に適した方法を提供することである。
【課題を解決するための手段】
【００１１】
よって、本発明は、一態様において、人体の少なくとも１つの領域を手入れする方法であって、
ａ）塗布具を１５℃以下の温度に冷却するステップ、及び
ｂ）続いて、冷却した塗布具に、塗布具の温度よりも周囲温度に近く且つ塗布具の温度と少なくとも５℃の差がある温度の化粧製品又は皮膚用製品を充填し、塗布具を使用して組成物を塗布するステップ、又は
ｃ）ステップａ）の前に又は後で、手入れする領域に、少なくとも１つの化粧組成物又は皮膚用組成物を塗布し、ステップａ）の後で、冷却した塗布具を手入れする領域に接触させるステップ
を含む方法に関する。
組成物は、例えば塗布具を接触させる直前に皮膚に塗布する。組成物は、１時間以上前に塗布しておくこともできるか、或いは行う手入れによっては、例えば前日に塗布しておくこともできる。
【００１２】
本方法は、ｂ）のみ又はｃ）のみを含むことができる。
本発明を使用して、化粧組成物を用いて冷却効果を適用することにより人体の１つの領域を手入れすることができ、その化粧組成物は、使用時に冷却できるものである限り、場合に応じてあらゆる種類のものであってよい。
【００１３】
よって、組成物を容器から取り上げたときに容器に残った使用されない組成物が冷却作用により劣化する危険を回避することができる。
塗布具は、特に、マッサージ用具として、又はクリオパンクチャー（cryopuncture）を行うために使用することができる。
【００１４】
塗布具は、美容サロンでの販売、皮膚科専門医又は医者の診療、或いは家庭において、例えば朝一番に又は夜寝る前に、使用することができる。
塗布具の、皮膚又は髪への連続的な接触時間は、例えば０．５秒〜３０分である。
【００１５】
一回の手入れの時間は、例えば１５秒〜１時間、又はそれ以上である。
冷却効果の適用によって、化粧組成物又は皮膚用組成物の作用を増大させることができ、それは例えば、組成物の作用のために皮膚を準備すること、循環に刺激を与えること及び／又は活性剤の浸透を促進させることによって得られる。塗布具はリラックス効果をもたらすことができる。この効果は、特に、皮膚を滑らかにし、整え又は固め、目の下のたるみを減らし、及び／又はしわを減らすことを目的としたものであってよい。
【００１６】
手入れする領域への組成物の分配を必ずしも同時に行うことなくその領域に塗布具を接触させることができれば、場合に応じて、手入れする領域に組成物が過剰に分配される危険なく、マッサージ作用をもたらすために塗布具を使用することができる。
低温は、例えば８℃以下、又は０℃以下とすることができる。塗布具は、例えば最初に−１８〜０℃、例えば約−６〜−４℃に冷却する。
【００１７】
塗布具は空洞を有することができ、この空洞は、低温に冷却すると状態を変えることのできる少なくとも１つの化合物を収容することができ、この塗布具はそのような状態の変化を生じさせるのに十分に低い温度まで冷却することができる。この化合物は、冷却されると凍結する液体であってよい。この液体は水を含んでいてよい。氷の融解の潜熱により、状態の変化は冷たさを保持する手段となる。その液体は、凝固点を降下させる添加剤、例えば塩化ナトリウム又はアルコール、例えばグリコールを含むことができる。
空洞を画定する壁部の内表面はワニスで被覆することができる。
【００１８】
手入れする領域は顔の皮膚又は体の別の部分とすることができ、粘膜又は髪も含まれる。場合によっては、塗布具は、特に塗布表面が導電性の材料、例えば金属によって画定される場合、髪と接触させた時に静電荷を除去する機能を含むことができる。
本発明の一実施形態では、本方法は、手入れする領域に組成物を担持する基材を適用することを含み、適用した基材に塗布具を接触させる。基材は、織布、不織布又は発泡材料を含むことができる。
【００１９】
化粧組成物を容器から取り上げ、手入れする領域に塗布することができる。組成物は、塗布具又は別の手段、例えば指又はへら、或いはポンプ等の分配装置を使用して取り上げることができる。容器は分配ノズルを含むことができる。
塗布具は、冷蔵庫又は冷凍庫に入れることによって、或いは圧縮又は液化されたガスを膨張させるか又は吸熱反応させることによって、冷却することができる。
【００２０】
必要に応じて、場合によっては塗布具を周囲温度で又は高温で使用することもできる。
塗布具の使用時には、閉鎖された容器内で組成物を保持することができる。
【００２１】
本発明の更なる目的は、別の態様において、
−  随意で、容器又は基材に保持された化粧組成物又は皮膚的組成物と、
−  容器又は基材から分離することができ且つ皮膚の一領域を手入れするための塗布表面を有する塗布具であって、皮膚に熱的な損傷を与えない低温に冷却し、塗布表面を皮膚と１５秒間接触させた場合、この少なくとも１５秒間の皮膚との接触の後で塗布表面が１５℃未満の温度を維持できるような温度特性を有する少なくとも１つの材料を含む塗布具と
を備えた装置を提供することである。
この装置は、組成物がない場合、塗布具のみとなる。
塗布表面の温度は、非接触式の温度計を使用して測定することができる。
【００２２】
本発明の更なる目的は、別の態様において、
−  随意で、容器又は基材に保持された化粧組成物又は皮膚用組成物と、
−  化粧組成物を用いた手入れの間に使用される塗布具であって、１，０００Ｊｍ−２Ｋ−１ｓ−１／２以上、好ましくは５，０００Ｊｍ−２Ｋ−１ｓ−１／２以上、更に好ましくは１０，０００Ｊｍ−２Ｋ−１ｓ−１／２以上、更に好ましくは２０，０００Ｊｍ−２Ｋ−１ｓ−１／２以上の熱慣性を有する材料によって少なくとも部分的に画定される塗布表面を有する塗布具と
を備えた装置を提供することである。
熱慣性は、皮膚との接触により周期的に加熱した時、塗布表面の、低温を保持する性能を特徴付けるものである。
【００２３】
熱慣性は式（ｋ・ｐ・Ｃ）１／２で定義され、式中、ｋは熱伝導率、ｐは体積密度、Ｃは比熱を表わす。
例えば、アルミニウムは、ｐ＝２７０２、ｋ＝２３８、及びＣ＝９００の値（ＳＩ単位系）を有しており、よってその熱慣性は約２４，０００Ｊｍ−２Ｋ−１ｓ−１／２である。
比較的大きな熱慣性によって、塗布表面は、皮膚との接触を繰り返しても比較的低温に保たれる。
【００２４】
本発明の更なる目的は、別の態様において、
−  随意で、容器又は基材に保持された化粧組成物又は皮膚用組成物と、
−  １Ｗｍ−１Ｋ−１以上、好ましくは４０Ｗｍ−１Ｋ−１以上、更に好ましくは１８０Ｗｍ−１Ｋ−１以上の熱伝導率を有する材料によって少なくとも部分的に画定される塗布表面を有する塗布具と
を備えた装置を提供することである。
熱伝導率が高いことによって、塗布具と手入れする領域との間で冷たさが伝達されやすくなり、塗布具が保持する冷たさの限度内で、冷たさが容易に迅速に回復する。
有利には、同じ塗布具の熱伝導率の性質を熱慣性の性質と組み合わせる。
【００２５】
組成物と塗布具は、当初同じパッケージ内に収容することができる。
容器と塗布具は、当初同じパッケージ内に収容することができる。
場合に応じて、塗布具と容器は、共通の収容装置、例えばボックス、紙パック、ブリスターパック、フィルムパック又は小袋に収容することができる。
【００２６】
本発明の更なる目的は、更に別の態様において、
−  随意で、容器又は基材に保持された化粧組成物又は皮膚用組成物、及び
−  塗布表面と、少なくとも１つの化合物、例えば、周囲温度から、−１８℃以上の温度、例えば−１８〜０℃の温度に冷却した時に、任意で状態を変化させることができる液体を収容する少なくとも１つの空洞とを有する塗布具
を備えた装置を提供することである。この化合物は、例えば液体、特に水を含む液体である。
【００２７】
本発明の更なる目的は、別の態様において、
−  １Ｗｍ−１Ｋ−１以上、好ましくは４０Ｗｍ−１Ｋ−１以上、更に好ましくは１８０Ｗｍ−１Ｋ−１以上の熱伝導率を有する材料によって少なくとも部分的に画定された塗布表面と、
−  １Ｗｍ−１Ｋ−１以下、好ましくは０．５Ｗｍ−１Ｋ−１以下、更に好ましくは０．１Ｗｍ−１Ｋ−１以下の熱伝導率を有する材料によって少なくとも部分的に画定された把持表面と、
−  液体を収容し、一部が１Ｗｍ−１Ｋ−１以上の熱伝導率を有する材料によって画定され、他の一部が１Ｗｍ−１Ｋ−１以下の熱伝導率を有する材料によって画定される、塗布具内部の空洞と
を備えた塗布具を提供することである。
【００２８】
本発明の更なる目的は、別の態様において、
−  １Ｗｍ−１Ｋ−１以上、好ましくは４０Ｗｍ−１Ｋ−１以上、更に好ましくは１８０Ｗｍ−１Ｋ−１以上の熱伝導率を有する材料によって少なくとも部分的に画定された塗布表面と、
−  １Ｗｍ−１Ｋ−１以下、好ましくは０．５Ｗｍ−１Ｋ−１以下、更に好ましくは０．１Ｗｍ−１Ｋ−１以下の熱伝導率を有する材料によって少なくとも部分的に画定された把持表面と、
−  液体を収容し、厚みが一定でない壁部によって画定される、塗布具内部の空洞と
を備えた塗布具を提供することである。
塗布具は、手入れする領域と接触する塗布表面を少なくとも部分的に画定する金属性の材料を含むことができる。この材料は、アルミニウム、任意でＺａｍａｋ（登録商標）等の合金を含むことができる。別の材料、例えばステンレス鋼、銅及びそれらの合金を使用してもよい。
【００２９】
塗布具は、非金属性であるが、密な、例えば１．１ｇ／ｃｍ３以上、好ましくは１．５ｇ／ｃｍ３以上、更に好ましくは２．５ｇ／ｃｍ３以上の密度を有する材料、例えば砂、ガラス又はキンバーライトを含むこともできる。
塗布表面は、少なくとも１．５ｇ／ｃｍ３の密度を有する材料によって少なくとも部分的に画定することができる。
【００３０】
塗布表面は、非金属性の材料、場合によっては例えばガラスによって少なくとも部分的に画定することができる。
上述のように、塗布具は、手入れする領域に接触する塗布表面を少なくとも部分的に画定し、且つ１Ｗｍ−１Ｋ−１以上、好ましくは４０Ｗｍ−１Ｋ−１以上、更に好ましくは１８０Ｗｍ−１Ｋ−１以上の熱伝導率を有する材料を含むことができる。この材料は、場合に応じて、上述の空洞内に収容されている液体と接触することができる。
【００３１】
塗布具は、５００Ｊｋｇ−１Ｋ−１以上、好ましくは１，０００Ｊｋｇ−１Ｋ−１以上、更に好ましくは２，０００Ｊｋｇ−１Ｋ−１以上の比熱を有する材料を含むことができる。
塗布具の熱容量は、例えば、周囲温度２０℃で、−６℃に冷却してから少なくとも１０分間に亘り、塗布表面の温度を１５℃以下に維持するのに十分である。
【００３２】
塗布具は、任意の液体を含む１５ｇ以上の質量を含むことができる。
塗布具は、空洞内に、少なくとも０．２ｃｍ３、例えば１〜８０ｃｍ３、特に５〜７０ｃｍ３、例えば５〜１５ｃｍ３、又は５〜１０ｃｍ３の液体を含むことができる。
塗布具は、１Ｗｍ−１Ｋ−１以下、好ましくは０．５Ｗｍ−１Ｋ−１以下、更に好ましくは０．１Ｗｍ−１Ｋ−１以下の熱伝導率を有する材料、例えば非金属性又は非鉱物性の材料、例えばプラスチック又は木材によって少なくとも部分的に画定された把持表面を含むことができる。この把持表面は、セル状の材料、例えば発泡体によって画定することもできる。
【００３３】
空洞の一部は、１Ｗｍ−１Ｋ−１以上の熱伝導率を有する材料によって、別の一部は１Ｗｍ−１Ｋ−１以下の熱伝導率を有する材料によって画定することができる。空洞の一部は金属性材料によって、且つ他の一部はプラスチック製材料によって画定することができる。
空洞の大部分は、１Ｗｍ−１Ｋ−１以下の熱伝導率を有する材料によって部分的に画定することができる。
【００３４】
塗布具は、少なくとも１つの成型部分、例えば射出成型又はブロー成型による成型部分か、又は機械加工された部分を含むことができる。
空洞は、成型及び／又は機械加工によって作成することができる。塗布具は、状態を変化させることができる液体を収容する１つ以上の空洞を含むことができる。
【００３５】
塗布具は、例えば、金属性材料とプラスチック製材料、ガラスと金属性材料、ガラスとプラスチック製材料を含むことができる。
塗布表面は、滑らかで、研磨することができるか、或いは変形例として、凸凹を含むか又は隆起した点等の複数の突起を含むことができる。突起は、例えば、手入れする領域に塗布具を接触させた時に与えたい冷却効果に応じて選択することができる。突起は、皮膚との接触範囲を狭める機能を有する。
【００３６】
塗布表面は、硬い材料又は硬くない材料によって画定することができる。場合に応じて、塗布表面は、弾性膜、発泡体、フロック材料、プラスチックフィルム、スポンジ、フェルト、織布又は不織布材料によって少なくとも部分的に覆われる壁部によって少なくとも部分的に画定することができる。このように覆われている壁部は、例えば少なくとも部分的に金属性の材料で形成されている。
塗布表面は、皮膚と完全に接触することができる３〜１０ｃｍ３の少なくとも１つの領域を有し、且つ１５℃の温度で２５０ＪＫ−１以上の熱容量を含むことができるか、或いは塗布表面は、皮膚と完全に接触することができる０．１〜３ｃｍ３の少なくとも１つの領域を有し、且つ１５℃の温度で５０ＪＫ−１以上の熱容量を含むことができる。
【００３７】
塗布具は、塗布される組成物を保持する容器に着脱可能に取り付けることができる。塗布具は、容器の閉鎖要素に着脱可能に取り付けることができる。容器は、例えば、非使用時に塗布具を挿入できる凹部を有するカバーを備えることができる。塗布具は、任意で、組成物を保持する容器の閉鎖要素として機能させることもできる。
塗布具は、組成物を取り上げることのできる分配装置に着脱可能に取り付けることができる。
【００３８】
容器は、塗布具を受容できる凹部を有する拡張部を含むこともできる。
装置は保存位置で表面に置くことができるように構成することができ、これにより塗布表面を画定する壁部に液体が接触する。
【００３９】
塗布具は、手入れする領域と接触する１つ又は複数の回転式の塗布具要素を含むことができ、この塗布具要素は、例えば塗布具を適用する際に皮膚を窪ませ、動かすことができる。
塗布具は、少なくとも部分的に磁性を有することができる。
【００４０】
塗布具は、例えば吸盤の形態に構成された可撓性のリップを含むことができる。
塗布具は、塗布具が容器に装着された時に組成物の分配を可能にする通路を含むことができる。組成物は、この通路に接触することができるか、又はこの通路が、組成物が中で循環する分配ノズルを受容することができる。
【００４１】
塗布具は、バイブレータ及び／又は電源に接続された、少なくとも１つ、例えば２つの電極を含むことができ、その電極間に電位差が形成される。容器は、組成物を収容する可変容積の内部空間を含むことができる。
塗布具は、着脱可能な要素によって少なくとも部分的に画定された塗布表面を提供することができる。この塗布表面は、例えば、吸収材料及び／又は繊維、又は剛毛を含み、例えば塗布具から取り外して洗浄することができる。この着脱可能な要素は、例えば手入れされる領域に塗布具によって組成物を更に良く塗り広げることができる。
【００４２】
塗布具の、前述の空洞と塗布表面との間の厚み（ｅｍｉｎ）を小さくし、５０ｍｍ以下、好ましくは１０ｍｍ以下、更に好ましくは１ｍｍ以下、例えば０．１〜１ｍｍ、例えば０．２〜０．８ｍｍとすることができ、これにより、塗布表面と空洞内に収容されている液体との間での熱伝達が促進される。
塗布具は、例えば色を変えることによって機能する少なくとも１つの温度計を備えることができる。温度計は、色を変化させることにより、例えば塗布表面の温度が所定のしきい値より高いか低いかを使用者に警告することができる。
【００４３】
塗布具は、容器内に保持されている組成物の取上げ要素を含むことができる。この取上げ要素は、例えば、発泡体、凝集粒子材料、フェルト、織布材料、不織布材料、フロック材料又は剛毛を含む。取上げ要素は、塗布具の塗布表面とは反対側の一端に配置することができる。
本器具は、−８℃に冷却して皮膚に適用したとき、少なくとも３０秒間、好ましくは１分間、更に好ましくは１５分間又は３０分間、温度が１５℃以下に維持されるように設計することができる。
【００４４】
塗布具は、吸熱反応によって互いに反応する化合物を含んでいなくともよい。
塗布具は、電源又は電源との接続手段を有していなくともよい。
【００４５】
塗布具は第１の部分を有することができ、この第１の部分は、例えば、プレス嵌め、スナップ装着、ねじ止め、溶接、接着、オーバーモールド又はクリンプによって少なくとも１つの第２の部分と組み立てることができる。
第１の部分は、塗布表面を画定することができ、例えば金属性の材料を含むことができる。第２の部分は把持表面を画定することができ、非金属性の材料を含むことができる。第１の部分又は第２の部分は、場合に応じて、液体を収容する空洞の充填アパーチャを含むことができる。変形例として、第１の部分と第２の部分とを組み立てる前に空洞を充填することができる。
【００４６】
容器は、組成物を収容する第１の区画と塗布具を受容する第２の区画とを有することができ、第１の区画と第２の区画とを同時に閉鎖することのできる閉鎖要素を含むことができる。
容器は、塗布具を少なくとも部分的に受容する中央凹部も含むことができる。
【００４７】
本収容及び塗布具器具は、冷却される第１の塗布具と、加熱される第２の塗布具とを備えることができる。第１の塗布具は液体を含むことができ、また金属性の材料を含むことができ、第２の塗布具は、電子レンジに入れることができるように金属を含まないようにすることができる。
【００４８】
本発明の別の目的は、別の態様において、
−  随意で、化粧組成物又は皮膚用組成物と、
−  −８℃に冷却して皮膚に適用したとき、少なくとも３０秒間、好ましくは１分間、更に好ましくは１５分間又は３０分間、温度が１５℃以下に維持されるように設計された塗布具と
を備えた装置を提供することである。
【実施例】
【００４９】
本発明は、非限定的な実施形態に関する以下の詳細な説明と、添付図面の参照により、より深く理解することができる。
図１及び２に示す収容及び塗布具器具１は、体に塗布される化粧組成物Ｐを保持する容器２と、組成物Ｐを塗布する際に使用することができる塗布具３とを備えており、容器２と塗布具３は共通の軸Ｘを有する。
【００５０】
組成物Ｐは、例えば、しわ取り、引き締め、保湿、カラーリング、にきび予防、抗脂漏性作用、漂白、刺激作用、再生又は鎮静作用、及び／又は皮膚のシミ隠しといった、少なくとも１つの作用をもたらすことを目的としている。
組成物Ｐは、例えば、７６／７６８／ＥＥＣを改正する１９９３年６月１４日付け指令書９３／３５／ＥＥＣ（ＥＵ化粧品指令）に定義されたようなものである。
【００５１】
組成物Ｐは、例えば、容器２内における０℃以上の温度での長時間の保存には耐えられない。
【００５２】
考えられる実施例では、容器２は、ねじ山が設けられたネック５と、このネック５に、例えばねじ止めによって着脱可能に固定されるカバー６とが上部に設けられている本体４を備えたポットの形状である。
カバー６及びネック５は、容器２を漏れが生じないように閉鎖できるシール手段を含むことができる。
【００５３】
カバー６は、上部で開いている凹部７を画定する上壁８を有し、この凹部に、使用しないときに塗布具３を嵌め込むことができる。
塗布具３は、例えば凹部７内に摩擦により保持される。
【００５４】
塗布具３は、手入れを行う領域、例えば皮膚に接触する塗布表面９と、使用者が塗布具３を操作するために把持することができる把持表面１０とを有している。
塗布表面９は、例えば、塗布具３が凹部７内に受容されている時には、容器２の反対側に位置する。
【００５５】
把持表面１０は、例えば、塗布具の底面１３から、例えば塗布具の全高さの３分の１を超える高さ、例えば塗布具の全高さのほぼ半分を超える高さまで延びる側方の表面である。
考えられる実施例では、塗布具３は、冷たさを保持する液体Ｌを収容することができる内部空洞１２を含む。
【００５６】
液体Ｌには、有利には、塗布具３の冷却中に状態が変化するものを選択する。
液体Ｌは、例えば水を含むことができ、塗布具３を０℃以下の温度に冷却すると、液体状態から凍結状態に移行できる。
【００５７】
液体Ｌの量は、例えば蓄えたい熱又は冷たさに応じて０．２〜１０ｃｍ３である。
液体は、その凝固点を降下させる化合物を含むことができる。
【００５８】
液体Ｌは、例えば−１２〜０℃の範囲で状態変化が可能である。
空洞１２の容積は液体Ｌの体積よりも大きくすることができ、これにより、液体が凍結時に膨張できる。
【００５９】
塗布具は、有利には、表面に置くことができるように構成され、これにより液体が塗布表面を画定する壁部に接触することができる。例えば、塗布表面９は、平坦な表面上に配置できるように、図６６に示すようにほぼ平坦である。よって、塗布具は、この位置に「逆さま」にして冷蔵庫の中に置くことができ、この場合、使用と使用の間に液体は塗布表面９と接触したままとなる。
図示していない変形例では、空洞１２は、粉体、例えば砂で充填される。
【００６０】
考えられる実施例では、内部空洞１２は、塗布表面９を画定する第１の部分１６と、把持表面１０を画定する第２の部分との間に形成されており、この第２の部分は第１の部分と組み立てられる。
第２の部分１４は、例えば、第１の部分１６の内側スカート１７を覆い且つ横方向壁部１９に連続する、軸Ｘを有する外側スカート１８を有し、横方向壁部１９は、外側スカート１８と共に環状溝２１を形成し、この環状溝２１内に内側スカート１７が嵌め込まれる。このような構成により、漏れを生じないアセンブリを得ることができる。
【００６１】
第２の部分１４は、有利には、非金属性の材料、例えばプラスチックから作成され、よって空洞１２の把持表面１０が熱的に絶縁される。
第２の部分１４は、例えば、１Ｗｍ−１Ｋ−１以下、好ましくは０．５Ｗｍ−１Ｋ−１以下の熱伝導率を有するプラスチックから形成されている。
【００６２】
第２の部分１４は、空洞１２を液体Ｌで充填することを可能にする開口部２３を含むことができる。この開口部２３は、例えば、横方向壁部１９を貫通しており、プラグ２４によって閉鎖することができる。
開口部２３は、例えば、ねじ山部分２５及び肩部２６を有している。プラグ２４は、ねじ山部分２５にねじ込むことができ、また、漏れを生じないシール２７を、プラグ２４と肩部２６との間に介在させることができる。
【００６３】
第１の部分１６は、例えば軸Ｘ方向に向かうにつれて、軸Ｘ上で測定した厚みが薄くなる上部壁２９を有しており、これにより、塗布具３の中央領域において、空洞１２と塗布表面９との間の熱伝達が促進される。
例えば、上部壁２９の軸Ｘ方向に沿った厚みｅｍｉｎを小さくすることができ、１ｍｍ以下、例えば０．２〜０．５ｍｍのオーダーとすることができる。
【００６４】
第１の部分１６は、例えば、良好な熱伝導体であり且つ比較的高い熱慣性を有する金属、例えばアルミニウム又はＺａｍａｋ（登録商標）のようなアルミニウム合金から形成される。
空洞１２は、嵌め込み式プラグ以外の、漏れを生じない手段で閉鎖することができる。
【００６５】
図４に示す変形例では、第２の部分１４は開口部２３を有しておらず、第１及び第２の部分は、例えば空洞１２を液体Ｌで満たしてから組み立てられ、協働して漏れを生じないように空洞１２を閉鎖する。
第１の部分及び第２の部分の組立ては、図３及び４の実施例では特に、様々な方法、例えばプレス嵌め、接着、スナップ装着、溶接、オーバーモールド、ねじ止め又はクリンプによって行うことができる。
【００６６】
図５に示す変形例では、塗布具３は、液体Ｌで満たされる空洞１２を有さない。
この場合、第１の部分１６は、例えば中実で、所望の結果を得るのに十分な熱容量及び熱伝導率を有する材料から形成される。この材料は、例えば、金属性の材料、ガラス、高密度の石材又は充填プラスチックを含む。
【００６７】
第２の部分１４は、把持表面１０を熱的に絶縁する上で有効なものとすることができ、例えばプラスチック又は木材から形成できる。
第２の部分１４は、図６５に示すように、二重壁１４９、１４９’を含むことができる。この二重壁は、把持表面の熱的な絶縁に寄与する。
【００６８】
第２の部分１４は、図６６に示すように羽１４’を備えることができ、この羽１４’により、良好な把持を可能にしながら塗布具の容量を減らすことができる。
図示しない変形例では、塗布具３は、単一の材料からなる一体式部材とすることもできる。
【００６９】
図６１に示す変形例では、第１の部分１６は、型打ち成形されたプレート、例えば金属性プレート、特にアルミニウムから形成されている。
第２の部分１４は、例えば、第１の部分１６をスナップ装着によって固定できるように設計されている。
【００７０】
第２の部分１４は、第１の部分１６の内表面に接する漏れを生じないシール２８１を受容することができる溝２８０を含むことができる。第１の部分１６は、空洞１２を液体Ｌで充填した後に第２の部分１４に固定することができる。
塗布具３は、手入れする領域に適した形状に作成することができる。
【００７１】
図１〜５に示す塗布具３は比較的幅広であり、例えばその高さより幅の方が大きく、例えば顔以外の体の領域を手入れするために用いられる。
図６は、顔の方に適している前述より幅が狭い塗布具３を有する収容及び塗布具装置１を示す。図７には、例えばこの塗布具３の高さが幅よりも大きい構成を示す。
【００７２】
図４に示す塗布具は、例えば水５０ｍｌを含んでいる。第１の部分１６は、例えばアルミニウム４２．９ｇから形成されており、第２の部分はポリアセタール（ＰＯＭ）１３．９ｇから形成されている。
１５℃での塗布具の熱容量は、水が液体であれば、概ね（５０×１０−３×．４１８５）＋（１３．９×１０−３×．１４６０）＋（４２．９×１０−３×．９００）＝２６８ＪＫ−１であり、氷の融解潜熱は、５０×１０−１×．３．３４×１０５＝１６，７００Ｊである。
【００７３】
図７に示す塗布具は、例えば水９．５ｍｌを含んでいる。第１の部分１６は、例えば、アルミニウム１５．１ｇから形成されており、第２の部分は、ポリアセタール（ＰＯＭ）３．６ｇから形成されている。
１５℃における塗布具の熱容量は、水が液体であれば、概ね（９．５×１０−１×．４１８５）＋（３．６×１０−３×．１４６０）＋（１５．１×１０−３×．９００）＝５８．６ＪＫ−１である。
【００７４】
図８及び９は、容器２が、塗布具３を少なくとも部分的に嵌めることのできる中央凹部３０を有する別の実施形態による器具を示す。
凹部３０は、図示のように、例えば容器２全体に亘って延びている。
例えば、塗布具３の接触表面３５は容器２のカバー上に接して止まるように設計されており、この塗布具３は、例えば概ねキノコ形状である。よって、接触表面３５は環状とすることができる。
【００７５】
図９に示す塗布具３は、図示のように、空洞１２を有するように形成することができ、この空洞１２は、塗布具３を容器２上に置いた時、例えば凹部３０の少なくとも一部に延びる。
接触表面３５は、第１の部分１６によって画定することができる。
【００７６】
図１〜９の実施例の塗布具３を使用するには、この塗布具３を冷凍庫で冷却することにより、液体Ｌを有する場合は液体Ｌを凍結させることができる。
冷凍庫から出した時、塗布表面の温度は、例えば−６〜−８℃である。
【００７７】
化粧組成物Ｐを保持する容器２は、例えば、冷蔵庫外部の周囲温度に維持され、塗布具３よりも高い温度に保つことができる。
ここで使用者は、容器２から組成物Ｐを、例えば指で取り上げ、手入れする領域又は塗布具３に塗布することができる。
【００７８】
次に塗布具３を手入れする領域と接触させることができる。
塗布具３は、皮膚と接触させて円状に又は直線状に動かして使用することにより、例えばマッサージ作用をもたらす及び／又は場合によっては組成物Ｐを広げて伸ばすことができる。使用者はまた、皮膚上で塗布具を実質的に動かさずに、連続する点に圧力をかけることによって手入れを行うことができ、これにより例えばクリオパンクチャー処理を行うことができる。塗布具３は皮膚に接触させることもできる。塗布具３を使用して、皮膚又は皮膚に適用される基材の冷アイロンに相当する効果を与えることもできる。
【００７９】
塗布具３は、目の下のたるみを手入れするために使用することができる。
塗布具３は、場合に応じて、容器２から組成物Ｐを取り上げるために使用することができる。
【００８０】
図１０に示すように、容器２は、閉鎖キャップ３２によって閉鎖される分配ノズルを有する管の形態を取ることができる。
塗布具３は、塗布具の本体３４の内部に形成された凹部３３により閉鎖キャップ３２に固定できる。
【００８１】
キャップ３２の上に塗布具３を保持するには、例えば摩擦又は別の手段、例えばスナップ装着又はねじ止めを用いることができる。
本体３４には、図示のように、液体Ｌを収容する空洞１２を形成することができる。
【００８２】
図１０に示す塗布具３を使用するには、容器２から塗布具３を分離して例えば冷蔵庫に入れることができる。
次いで、容器２内に保持されている組成物を、塗布具３へ又は手入れする領域へ分配することができる。
【００８３】
塗布具３を本体３４の上に戻さずに、本体３４を把持要素として使用することができ、又は変形例として、塗布具３を容器２に装着させた後に塗布具３を使用することができ、この場合容器２が把持表面を画定する。
図６４に示す別の構成によれば、塗布具３は、例えば、凹部３３を利用して摩擦により管の分配ノズルに直接固定されるように構成されており、この場合、凹部３３は製品の通路を形成する。塗布具の本体３４は、凹部３３の周りに空洞１２を有し、よって、塗布具を管に装着すると空洞が分配ノズルの周りを取り囲む。塗布具の本体３４には、製品を分配する時に皮膚に接触する金属性のヘッド３５が装着される。
【００８４】
図１１は、容器２が、ネックを備えたボトルであり、本体３４がネックにねじ止めされることによって閉鎖キャップとして機能する別の実施形態を示す。
組成物Ｐは図１２に示すように容器２内に保持することもでき、その場合、容器２は、組成物Ｐを受容する第１の区画３６と、塗布具３を受容する第２の区画３７とを有している。
【００８５】
考慮される実施例では、これらの２つの区画３６及び３７は共通のカバー３８によって閉鎖され、このカバー３８は、第１の区画３６を漏れが生じないように閉鎖するために、例えばシールスカート３９を有している。
図１２に示す実施例では、このカバー３８はねじ止めされるが、図示しない変形例ではカバー３８は別の手段によって装着され、例えば容器２に挿入されるか又はヒンジ止めされる。
【００８６】
第２の区画３７は、場合によっては、異なる形状を有し及び／又は異なる方法で使用され、例えば少なくとも１つが冷却され、少なくとも別の１つが加熱されて使用される複数の塗布具３を収容することができる。
組成物Ｐは、図１３に示すように、塗布具３を収容する拡張部４０が組み込まれた容器２内に保持することができる。
【００８７】
この拡張部４０は例えば側方に延び、塗布具３を受容するのに適した形状の凹部４１を含むことができる。
塗布される組成物Ｐは、少なくとも２つの塗布具３と共に使用者に提供することができ、その場合、例えば一方の塗布具は冷却され、他方の塗布具は加熱される。
【００８８】
これらの２つの塗布具３は、組成物Ｐを保持する容器２を備えたキットの形態で使用者に提供することができる。
このキットは、例えば、図１４に示すように、非使用時に容器２及び塗布具３を収容することのできるホルダ４５を有している。
【００８９】
このホルダ４５は、例えば、組成物Ｐを保持する容器２を受容する凹部４６、並びにそれぞれ１つの塗布具３を受容する２つの凹部４７及び４８を含むことができる。
図示しない一変形例では、容器２は、ホルダ４５と一体部材に形成される。
【００９０】
容器２は、例えば図１５に示すボックス５０のようなパッケージ内に入れられて少なくとも１つの塗布具３と共に使用者に提供することもできる。
組成物Ｐは、パウダー、クリーム、ペースト、ジェル又は液体の状態を取ることができるか、又は例えば織布材料、不織布材料、発泡体又はフェルトのような基材に含浸させる及び／又はそのような基材を被覆することができる。
【００９１】
図１７に示すように、例えばマスク又はパッチの形態の基材５２を皮膚に適用することができ、その後冷却した塗布具３をその基材５２に接触させる。
基材５２は、個々のパック５３に収容し、少なくとも１つの塗布具３と併せてキットの形態で使用者に提供することができ、そのセットは、図１６に示すように例えばパッケージ５４内に収容される。
【００９２】
図示しない一変形例では、複数の基材を、個々のパックではなく１つの共通のパッケージに入れて提供することもできる。
組成物を含浸させた基材は、任意で実質的に無水とすることができ、使用時に水等の溶媒で湿らすことが可能である。
【００９３】
図１８は、本発明を実施するためのキットの別の実施例を示す。
塗布具３は、塗布される組成物を含む基材６２を受容するか、又は凹部６０に嵌合可能な形状を有するブロックの形態の組成物自体を受容する凹部６０を含む。
【００９４】
基材６２又は組成物のブロックは、例えば個々のパック６４に収容することができる。
基材６２に含まれるか又はブロックを構成する組成物の量は、一回の使用量に相当する量とすることができる。
【００９５】
使用の際は、基材６２又は組成物のブロックをパック６４から取り出し、塗布具の凹部６０内に挿入する。
凹部６０の深さは例えば基材６２よりも浅く、これにより、使用者は手入れを行う領域に組成物を塗布することができる。
【００９６】
凹部６０は、例えば、塗布具３の金属部分内に形成されており、これにより、基材６２又は組成物のブロックと塗布具３との間の熱交換が促進される。
基材６２又は組成物のブロックの塗布具への配置は、塗布具を冷却又は加熱した時に行うことができる。
【００９７】
塗布後、基材６２は、凹部６０から引き出すことができる。
塗布具３はまた、他の様々な方式で作成することができる。
特に、液体Ｌを収容する空洞１２は、異なる方法で閉鎖することができる。
【００９８】
図２０に、第１の部分１６及び第２の部分１４がねじ止めによって協働する実施形態を示す。第２の部分１４は、第１の部分１６の内周面に接触するシールリップ７０を有しており、これにより、空洞１２は漏れがないように閉鎖される。
第２の部分１４は、ねじ山付きスカート７１を含み、このスカート７１は第１の部分１６を部分的に覆い、且つ把持表面１０を画定する。
【００９９】
図２１に示す別の実施形態では、第１の部分１６と第２の部分１４とは、漏れを防ぐシール７２を中間に挿入した形で組み立てられる。
第２の部分１４の、例えば第１の部分１６の側にはねじ山が切られていて、第１の部分１６を第２の部分１４にねじ止めすることができる。
【０１００】
塗布具３は、図２２に示すように、把持表面１０及び塗布表面９を画定する本体７６を有することもできる。この本体には、液体Ｌが充填される空洞１２を画定する凹部を形成することができる。
空洞１２は、例えばプラグ７８によって閉鎖することができ、プラグ７８は様々な手段によって、例えばスナップ装着によって、本体７６に固定することができる。プラグ７８は、空洞１２を画定する本体７６の表面に接触する環状のシールリップ７９を含むことができる。
【０１０１】
図６０に示す別の実施形態は、図２０に示す実施形態に極めて類似している。しかしながら、第２の部分１４は、第１の部分より側方に大きく延びるスカート７１を有している。更に、第１の部分１６の、空洞１２と塗布表面との間の厚みは、図２０に示す実施形態と比較して小さい。
【０１０２】
図２３に示す塗布具３は、空洞１２が、空洞１２を充填するために使用される開口部の周りで本体７６に例えば溶接された底部８０により閉鎖されているという点で、図２２に示すものと異なる。
底部８０は、例えば、液体Ｌに対して不浸透性の材料からなるシートであり、場合によっては透明であってよい。
【０１０３】
塗布具３は、様々な外側形状、例えば図２４に示すように広がったヘッドを有する細長い形状を有するように作成することができる。
空洞１２の長さは、塗布具の高さに相当する大きさとすることができる。
【０１０４】
図２４の実施例では、空洞１２は、塗布具３の長さの半分を超える長さに亘って延びており、この場合、特に塗布具３の全長に亘って延びている。
【０１０５】
図２５に示す実施形態では、塗布具３のヘッドは丸い。
この図に示すように、塗布具は、空洞１２を画定する壁部３０１を覆う被覆材３００によって画定される塗布表面９を有することができる。被覆材３００は、例えば、弾性膜、織布又は不織布材料である。
【０１０６】
塗布具３の塗布表面９は、突起８５、例えば図２６に示すような隆起点を含むことができる。
突起８５は、例えば、弾性の材料又は金属性の材料から形成することができる。
【０１０７】
突起８５により冷たさの伝わり方を変更することができ、突起８５の形状は、行う手入れに応じて選択することができる。
場合によっては、突起８５は、図示のように着脱可能な要素８６上に形成することができ、よって使用者は、行う手入れに応じて突起８５を選択することができる。要素８６の装着は、例えばねじ止めによって行うことができる。
【０１０８】
塗布具３は、図２７に示すような平らな部分を有する塗布表面９を備えることができ、この塗布表面９は、例えば塗布具３の長軸Ｘに対して斜めに延びていてよい。
また、図２７に示すように、空洞１２は、空洞１２を液体Ｌで満たすことを可能にする開口部を有することができ、この開口部は、例えば少量の接着剤によって形成されるプラグ８８により閉鎖することができる。
【０１０９】
図２８は、液体Ｌによって満たされる空洞１２を画定する第１の部分１６と、図示のように空洞１２を含まなくともよい細長い取っ手の形態の第２の部分１４とを有する塗布具３を示す。別の構成では、図６２に示すように第２の部分１４は空洞１２を含む。
塗布表面は、図２９に示すように、幅狭の部分９１により塗布具の残りの部分に連続するヘッド９０によって画定されていてもよい。この図では、幅狭の部分９１を含む第１の部分１６は、例えば金属性の材料から形成されている。幅狭の部分９１は、場合によっては可撓性とすることができ、使用時に曲げることができる。
【０１１０】
第１の部分１６は、第２の部分１４内に例えばスナップ結合されており、空洞１２が第１の部分１６の内部に形成され、その一方の端部は第２の部分１４によって閉鎖されている。
塗布具３の塗布表面９は、図３０及び３１に示すように、例えば弾性的に変形可能な材料、例えば発泡体からなる嵌合部分９５によって少なくとも部分的に画定することができる。
嵌合部分９５の形状は環状とすることができ、塗布具本体９８の拡張部９６に装着することができる。場合によっては、拡張部９６の上部９９を、塗布表面として機能させることもできる。部品９５は使用後に掃除することができる。
【０１１１】
図３０に示すように、塗布具３は温度計３０５を有することができ、この温度計３０５が色を変えて、塗布表面９が手入れを行うのに許容可能な温度であることを示す。
塗布表面９は、図３２に示すように、製品を蓄えることのできる少なくとも１つの窪み１００、又は図３３に示すようなスロット１０１を有することができる。
【０１１２】
塗布表面９は、図３４に示すように一端を一点によって画定することができるか、又は図３５に示すように斜めに面取りされた端面によって画定することができる。
図３４はまた、塗布表面９がフロックのカバー３１０を有することができることを示す。
【０１１３】
図３６に示すように、塗布表面９は、塗布具３の第１の部分１０５の凹部１０４内に固定されている熱伝導性材料の塊状部分１０３によって画定することもできる。この第１の部分は、液体Ｌを含む空洞１２を画定することができ、第１の部分１０５よりも熱伝導性の低い材料からなる把持部分１０６によって支持されていてよい。塊状部分１０３は、例えば、セラミック、ガラス、高密度の石材又は金属性の材料である。
図３７に示すように、塗布表面９は、空洞１２に収容される液体Ｌと直接接触する部分１１０によって形成することができる。
【０１１４】
この部分１１０は例えば金属性で、空洞１２は、例えば絶縁プラスチックからなる本体１１１の内部に形成される。
プラグ１１２を本体１１１にねじ止めすることにより、空洞１２の底部を閉鎖することができる。
【０１１５】
塗布具３は、図３８に示すように、形状の異なる２つの塗布表面９、例えば丸い形状の塗布表面と、先端が面取りされた形状の塗布表面とを有することができる。
塗布具３の中央の領域には把持表面１０を画定する絶縁リング１１８を設けることができる。
【０１１６】
異なる形状の塗布表面９は、例えば塗布具３の両端部に配置される。
塗布具３の両端部はまた、異なる形状又は同じ形状の、図３９に示すように同じ側に配置された塗布表面９を有していてもよい。
【０１１７】
塗布具３は例えばＵ字型とすることができ、この場合、Ｕ字の両端部が塗布表面９を画定し、Ｕ字の底部分が、把持表面１０を画定する。
塗布具３は、図４０に示すように、平坦な表面Ｓ上に載せたとき、空洞１２に収容されている液体Ｌが、塗布表面９を画定する壁部１２０と接触することができるように設計することができる。
【０１１８】
これにより、液体Ｌと壁部１２０との間に熱的な接触が確立される。このことは、液体Ｌの温度を十分に下げたときに液体Ｌの状態が変化して固体になる場合、特に有利である。
使用の間、固体状態の液体Ｌは、融解するまで壁部１２０と接触したままでいることができる。
【０１１９】
場合によっては、図４１に示すように、液体Ｌの凍結に必要な時間に亘って塗布具３を逆さまにして冷凍庫に入れるとき、ホルダ１３０に配置することができる。
図４２に示すように、塗布具３の少なくとも一部は弾性的に変形可能とし、塗布表面９を少なくとも部分的に可撓性のリップ１３５によって画定することができる。これにより、吸盤の効果を生じさせることができる。
【０１２０】
塗布表面９は可動部材によって画定することができ、特に図４３に示すように、例えば長軸Ｘに対して垂直な回転軸Ｙを中心に回転する、例えばローラ１４０によって画定することができる。
図４３に示すように、容器２には、ポンプ又はバルブ等の分配器具１４１を設けることができ、これにより、手入れを行う領域に、又は皮膚に接触させる前の塗布表面９に、組成物を分配することが可能となる。
【０１２１】
塗布表面９は、図４４に示すように、ボール１４５等の回転する部材によって画定することができる。
ボールは、着脱可能に容器２に装着可能なホルダ１４６によって担持することができる。これによって、使用者は、ホルダ１４６を取り外すことにより、容器内に保持された組成物Ｐをマイクロ波に曝すことなくホルダを冷却することができる。ボールは、場合によっては、空洞１２及び液体Ｌを含む。
【０１２２】
冷却後、ホルダ１４６は容器２に再び装着することができ、この容器２は把持要素として使用される。
一変形例では、塗布具３上のスカート１４８により、容器２への装着が可能となり、このスカート１４８は把持表面１０を画定することができる。
【０１２３】
図４５は、塗布表面９が、ほぼ環状の塗布具３によって画定される別の実施形態を示す。この塗布具は容器２上の直立部１５０の周りに配置することができ、この直立部を通って組成物Ｐが分配される。
容器２には、非使用時に直立部１５０を閉鎖するための閉鎖要素１５１を嵌めることができる。塗布具３を使用するため、使用者は容器２から塗布具３を取り外し、例えば冷凍庫に入れる。
次いで冷却後に、塗布具３を再び直立部１５０の周りに嵌めると、容器２を把持要素として使用して、手入れを行う領域に塗布表面９を接触させることができる。
【０１２４】
図４６に示す実施例では、塗布具３は、手入れを行う領域に冷たさを適用するための塗布表面９と、容器２内に保持された製品を取り上げるための要素１５５とを有している。
この取上げ要素１５５は、塗布具３の、例えば塗布表面９とは反対側に配置される。
【０１２５】
容器２は、例えば、取上げ要素１５５を受容するための凹部１５６を有し、この凹部１５６は、組成物Ｐを収容するスペース１５７から、穴の空けられた壁部１５８によって分離されており、この壁部１５８により、取上げ要素１５５が含むことができる量が制限されている。場合によっては、取上げ要素１５５を使用して、手入れを行う領域に組成物Ｐを塗布することができる。
塗布具３は、容器２の、例えば容器２にねじ止めされる閉鎖要素１６０と一体式にすることができる。
【０１２６】
図４６に示す器具１を使用する場合、使用者は、塗布具３を容器から分離して冷蔵庫又は冷凍庫に入れる。次に、例えば器具１を振った後で、凹部１５６から塗布具３により組成物Ｐを取り上げ、取上げ要素１５５内及び／又は上に含まれる組成物を、この取上げ要素１５５を使用して塗布することができる。組成物を塗布した後、使用者は、塗布具３を回転させ、塗布表面９を使用して冷やすことができる。
【０１２７】
図４７に示す実施例では、塗布表面９は、容器２内部の製品組成物と接触している。容器２は、塗布具３に付着し得る余分な製品を除去できるワイパエレメント１６５を有することができる。
塗布具３は、塗布具に担持させる製品の量を増大することができる及び／又は手入れを行う領域に塗布具を適用する際の塗布具３の可撓性を高めることができる突起１７０を有することができる。
【０１２８】
塗布具３は、ポンプ又はバルブ等の分配器具１７５上に搭載することができ、この分配器具１７５は、押し下げる及び／又は傾けると組成物を分配するステム１７６を有している。
塗布具３は、ステム１７６によって製品を運ぶことのできる、塗布表面９に達する内部チャネル１７７を有することができる。
【０１２９】
図４８の実施例では、塗布具３がカバースカート１７９を有し、よって分配器具１７５の全体又は一部を隠すことができ、把持表面を画定することもできる。
図４８に示す器具１は、まず塗布具３を分配器具１７５から分離し、次いで塗布具３を分配器具１７５から独立して冷却することにより使用される。
【０１３０】
次いで、塗布具３を分配器具１７５に再び装着し、塗布具３を作動することによって、チャネル１７７を通して製品を分配することができる。
図４９は、分配器具１７５が、浸水管１８０によって供給が行われるポンプを有する一変形例を示す。
【０１３１】
図５０の実施例では、塗布具３は、容器のネックにねじ止めすることができ、例えば外側に向かって凹んだ塗布表面９を有しており、この塗布表面９の底部に組成物Ｐを運ぶためのアパーチャ１８３が設けられている。塗布具の本体１８４は、塗布具３の熱慣性を増大させるためのインサート１８６を有することができる。
塗布具３の形状に関係なく、塗布具３には図５１に示すようなバイブレータ１９０を設けることができる。
【０１３２】
このようなバイブレータ１９０は、例えば偏心重量体１９２を回転駆動させて振動を生じさせるモータ１９１を有する。モータ１９１は、場合によっては充電可能な、１つ以上の電池１９３によって電力供給することができる。
バイブレータ１９０は、例えば、塗布具３の、塗布表面９を有する部分１９５に着脱可能に装着され、よって同じバイブレータ１９０を異なる別の塗布表面９と共に使用することができる。
【０１３３】
塗布具３はまた、塗布の際に手入れされる領域に電気的な刺激を与えるため、少なくとも１つの電極、例えば２つの電極２００を有することができる。これらの電極は、例えば、把持表面１０を画定する電池２０２に電気的に接続されている。
空洞１２は、例えば電極２００の周囲に延び、電極は、場合に応じて空洞１２に収容されている液体Ｌと熱交換することができる。
【０１３４】
図５２に示す塗布具３を使用するときは、塗布具３を電池２０２から分離して冷蔵庫に入れる。
所望の温度に達したら、塗布具３を電池２０２に再び装着し、電池２０２を把持要素として使用して、手入れを行う領域に電極２００を接触させることができる。場合に応じて電極２００は手入れを行う領域を冷やすことができる。
【０１３５】
別態様では、電池２０２を冷却することもできる。
塗布具３は、磁気特性を含むことができる。
【０１３６】
例として、図５３に、磁気粒子を充填した本体２２０を有する塗布具３を示す。
ここに示す実施例では、本体２２０は、液体Ｌを収容する空洞１２を少なくとも部分的に画定することができる。場合によっては、磁界の存在により、塗布具３の熱容量を増大させることができる。
【０１３７】
図５４、５５及び６３に示す収容及び塗布具器具の塗布具３は２つのローラ２４０を含み、これらのローラは、塗布具３と容器２との一体化を可能にするベース２４２に接続された可撓性のロッド２４１に搭載されている。
例えば、容器２の一方の端部は、容器２に塗布具３を装着するためのねじ山２４３を含み、他方の端部は分配アパーチャ２４５を閉鎖するカバー２４４を備えている。
ローラ２４０は、所望の熱容量を提供するように設計されており、液体Ｌで充填される空洞を有することができる。
【０１３８】
図６３に示す別の構成では、ローラは、プラスチックから作成された２つの部分からなっており、それらの部分は金属ディスク２５０を両側にそれぞれ包み込んでいる。よって、液体Ｌを収容している２つの空洞１２は、このディスクの両側に形成されている。ディスクの端部は塗布表面９を画定している。空洞の大部分はプラスチック製の壁部によって画定されている。
【０１３９】
図５６に示す変形例では、容器２には、ポンプ又はバルブ等の分配器具２４８が設けられている。組成物は、例えば容器２内において加圧下で保持されている。
図示のように、塗布具３は、非使用時に塗布表面９を保護する保護キャップ２４９を有することができる。
【０１４０】
図５７〜５９に示す変形例では、塗布具３の冷却は、圧縮又は液化されたガスの膨張によって行われる。
図５７に示す実施例では、塗布表面９は、エアロゾル容器２３１から供給されるガスの膨張に曝される多孔質のブロック２３０に接触する。場合によっては、塗布具３は、膨張したガスを塗布具３内で循環させ、よってその冷却速度を増大させることが可能なチャネル２３２を含むことができる。
【０１４１】
図５８に示す実施例では、圧縮又は液化したガスの膨張が塗布具３内部で行われ、この場合、塗布具３は、例えば膨張した冷たいガスを循環させるための内部チャネル２３４を有している。
場合によっては、図５９に示すように、エアロゾル容器２３１が、塗布具３の内部に少なくとも部分的に収容される。
【０１４２】
本発明は、上述の実施例に限定されるものではない。
また、特に、開示された様々な実施形態の特定の特徴を組み合わせることが可能である。
上述のいずれか１つの塗布具にバイブレータを装着することが可能である。
特に断らない限り、「１つの〜を含む」という表現及びそれと同じ意味の表現は、「少なくとも１つの〜を含む」という表現と同義であると理解されたい。
【図面の簡単な説明】
【０１４３】
【図１】本発明の一実施形態によって作成された器具の正面図である
【図２】図１の器具の概略的な縦断面図である。
【図３】図１及び２の塗布具のまた別の図である。
【図４】塗布具の別の実施形態の態様の、図３と同様のまた別の図である。
【図５】塗布具の別の実施形態の態様の、図３と同様のまた別の図である。
【図６】本器具の別の実施形態の正面図である。
【図７】図６の塗布具を独立して示す正面図である。
【図８】本器具の別の実施形態の斜視図である。
【図９】図８の器具の縦断面図である。
【図１０】本発明の別の実施形態による器具の概略的且つ部分的な縦断面図である。
【図１１】本発明の別の実施形態による器具の概略的且つ部分的な縦断面図である。
【図１２】本発明の別の実施形態による器具の概略的且つ部分的な縦断面図である。
【図１３】本発明の別の実施形態による器具の概略的且つ部分的な縦断面図である。
【図１４】本発明の別の実施形態による器具の概略的且つ部分的な縦断面図である。
【図１５】本発明を実施するためのキットの実施例の概略的な斜視図である。
【図１６】本発明を実施するためのキットの実施例の概略的な斜視図である。
【図１７】図１６に示すキットの使用法を示す。
【図１８】本発明を実施するためのキットの別の実施例の概略図である。
【図１９】使用中の図１８の塗布具を示す。
【図２０】塗布具の別の実施形態の概略的な縦断面図である。
【図２１】塗布具の更に別の実施形態の概略的な縦断面図である。
【図２２】塗布具の更に別の実施形態の概略的な縦断面図である。
【図２３】塗布具の更に別の実施形態の概略的な縦断面図である。
【図２４】塗布具の更に別の実施形態の概略的な縦断面図である。
【図２５】塗布具の更に別の実施形態の概略的な縦断面図である。
【図２６】塗布具の別の実施形態を示す。
【図２７】塗布具の更に別の実施形態の概略的な縦断面図である。
【図２８】塗布具の更に別の実施形態の概略的な縦断面図である。
【図２９】塗布具の更に別の実施形態の概略的な縦断面図である。
【図３０】塗布具の別の実施形態の概略的な斜視図である。
【図３１】図３０の塗布具の部分的な縦断面図である。
【図３２】塗布具の別の実施形態の正面図である。
【図３３】塗布具の更に別の実施形態の正面図である。
【図３４】塗布具の更に別の実施形態の正面図である。
【図３５】塗布具の更に別の実施形態の正面図である。
【図３６】塗布具の別の実施形態の概略的且つ部分的な縦断面図である。
【図３７】塗布具の更に別の実施形態の概略的且つ部分的な縦断面図である。
【図３８】塗布具の更に別の実施形態の概略的且つ部分的な縦断面図である。
【図３９】塗布具の更に別の実施形態の概略的且つ部分的な縦断面図である。
【図４０】塗布具の更に別の実施形態の概略的且つ部分的な縦断面図である。
【図４１】塗布具の更に別の実施形態の概略的且つ部分的な縦断面図である。
【図４２】塗布具の更に別の実施形態の概略的且つ部分的な縦断面図である。
【図４３】塗布具の更に別の実施形態の概略的且つ部分的な縦断面図である。
【図４４】塗布具の更に別の実施形態の概略的且つ部分的な縦断面図である。
【図４５】塗布具の更に別の実施形態の概略的且つ部分的な縦断面図である。
【図４６】塗布具の更に別の実施形態の概略的且つ部分的な縦断面図である。
【図４７】塗布具の更に別の実施形態の概略的且つ部分的な縦断面図である。
【図４８】塗布具の更に別の実施形態の概略的且つ部分的な縦断面図である。
【図４９】塗布具の更に別の実施形態の概略的且つ部分的な縦断面図である。
【図５０】塗布具の更に別の実施形態の概略的且つ部分的な縦断面図である。
【図５１】塗布具の更に別の実施形態の概略的且つ部分的な縦断面図である。
【図５２】塗布具の更に別の実施形態の概略的且つ部分的な縦断面図である。
【図５３】塗布具の更に別の実施形態の概略的且つ部分的な縦断面図である。
【図５４】収容及び塗布器具の別の実施例の斜視図である。
【図５５】塗布具の概略的且つ部分的な断面図である。
【図５６】別の実施形態の、図５４と同様の図である。
【図５７】本発明の別の実施形態を示す。
【図５８】本発明の更に別の実施形態を示す。
【図５９】本発明の更に別の実施形態を示す。
【図６０】本発明の更に別の実施形態を示す。
【図６１】本発明の更に別の実施形態を示す。
【図６２】本発明の更に別の実施形態を示す。
【図６３】本発明の更に別の実施形態を示す。
【図６４】本発明の更に別の実施形態を示す。
【図６５】本発明の更に別の実施形態を示す。
【図６６】本発明の更に別の実施形態を示す。
【符号の説明】
【０１４４】
１    収容及び塗布（具）器具
２    容器
３    塗布具
４    本体
５    ネック
６    カバー
７    凹部
８    上壁
９    塗布表面
１０  把持表面
１２  空洞
１３  底面
１４  第２の部分
１４’  羽
１６  第１の部分
１７  内側スカート１７
１８  外側スカート
１９  横方向壁部
２３  開口部
２４  プラグ
２５  ねじ山部分
２６  肩部
２７  シール
２９  上壁部
３０  中央凹部
３２  閉鎖キャップ
３３  凹部
３４  本体
３５  接触表面
３６  第１の区画
３７  第２の区画
３８  カバー
３９  シールスカート
４０  拡張部
４１  凹部
４５  ホルダ
４７、４８  凹部
５０  ボックス
５２  基材
５３  個々のパック
５４  パッケージ
６０  凹部
６２  基材
６４  個々のパッケージ
７０  シールリップ
７１  スカート
７２  シール
７６  本体
７８  プラグ
７９  シールリップ
８０  底部
８５  突起
８６  着脱可能な要素
８８  プラグ
９０  ヘッド
９１  幅狭の部分
９５  嵌合された部分
９６  拡張部
９８  本体
９９  上部
１００  窪み
１０１  スロット
１０３  材料塊
１０４  凹部
１０５  第１の部分
１０６  把持部分
１１０  部分
１１１  本体
１１２  プラグ
１１８  絶縁リング
１２０  壁部
１３０  ホルダ
１３４  ヘッド
１３５  リップ
１４０  ローラ
１４１  分配装置
１４５  ボール
１４６  ホルダ
１４８  スカート
１４９  二重壁
１５０  直立部
１５５  取上げ要素
１５６  凹部
１５７  スペース
１５８  壁部
１６０  閉鎖要素
１６５  ワイパ要素
１７０  突起
１７５  分配装置
１７６  ステム
１７７  内部チャネル
１７９  カバースカート
１８０  浸水管
１８３  アパーチャ
１８４  本体
１８６  インサート
１９０  バイブレータ
１９１  モータ
１９２  偏心重量体
１９３  電池
１９５  塗布表面９を有する部分
２００  電極
２０２  電池
２２０  本体
２３０  ブロック
２３１  エアロゾル容器
２３２  チャネル
２４０  ローラ
２４１  ロッド
２４２  ベース
２４３  ねじ山
２４４  カバー
２４５  分配アパーチャ
２４８  分配装置
２４９  保護キャップ
２５０  金属ディスク
２８０  溝
２８１  シール
３００  被覆材、安全カプセル
３０１  壁部、温度計
３０５  温度計
３１０  カバー
ｅｍｉｎ  厚み
Ｌ    液体
Ｐ    組成物
Ｓ    平坦な表面
Ｘ    長軸
Ｙ    回転軸
【図１】
2007167639.tif 000003
【図２】
2007167639.tif 000004
【図３】
2007167639.tif 000005
【図４】
2007167639.tif 000006
【図５】
2007167639.tif 000007
【図６】
2007167639.tif 000008
【図７】
2007167639.tif 000009
【図８】
2007167639.tif 000010
【図９】
2007167639.tif 000011
【図１０】
2007167639.tif 000012
【図１１】
2007167639.tif 000013
【図１２】
2007167639.tif 000014
【図１３】
2007167639.tif 000015
【図１４】
2007167639.tif 000016
【図１５】
2007167639.tif 000017
【図１６】
2007167639.tif 000018
【図１７】
2007167639.tif 000019
【図１８】
2007167639.tif 000020
【図１９】
2007167639.tif 000021
【図２０】
2007167639.tif 000022
【図２１】
2007167639.tif 000023
【図２２】
2007167639.tif 000024
【図２３】
2007167639.tif 000025
【図２４】
2007167639.tif 000026
【図２５】
2007167639.tif 000027
【図２６】
2007167639.tif 000028
【図２７】
2007167639.tif 000029
【図２８】
2007167639.tif 000030
【図２９】
2007167639.tif 000031
【図３０】
2007167639.tif 000032
【図３１】
2007167639.tif 000033
【図３２】
2007167639.tif 000034
【図３３】
2007167639.tif 000035
【図３４】
2007167639.tif 000036
【図３５】
2007167639.tif 000037
【図３６】
2007167639.tif 000038
【図３７】
2007167639.tif 000039
【図３８】
2007167639.tif 000040
【図３９】
2007167639.tif 000041
【図４０】
2007167639.tif 000042
【図４１】
2007167639.tif 000043
【図４２】
2007167639.tif 000044
【図４３】
2007167639.tif 000045
【図４４】
2007167639.tif 000046
【図４５】
2007167639.tif 000047
【図４６】
2007167639.tif 000048
【図４７】
2007167639.tif 000049
【図４８】
2007167639.tif 000050
【図４９】
2007167639.tif 000051
【図５０】
2007167639.tif 000052
【図５１】
2007167639.tif 000053
【図５２】
2007167639.tif 000054
【図５３】
2007167639.tif 000055
【図５４】
2007167639.tif 000056
【図５５】
2007167639.tif 000057
【図５６】
2007167639.tif 000058
【図５７】
2007167639.tif 000059
【図５８】
2007167639.tif 000060
【図５９】
2007167639.tif 000061
【図６０】
2007167639.tif 000062
【図６１】
2007167639.tif 000063
【図６２】
2007167639.tif 000064
【図６３】
2007167639.tif 000065
【図６４】
2007167639.tif 000066
【図６５】
2007167639.tif 000067
【図６６】
2007167639.tif 000068
【外国語明細書】
2007167639000001.pdf
2007167639000002.pdf
2007167639000003.pdf
2007167639000004.pdf